(57)【要約】      （修正有）【課題】手袋を着けたままで、静電容量式タッチ装置のタッチパネルを精確に操作できるタッチ手袋を提供する。【解決手段】タッチ手袋は、手袋本体と、複数の導電部とを備え、手袋本体は、複数の指先部を有し、これらの指先部にこれらの導電部がそれぞれ貫通して縫い付けられている。【選択図】図２
0003179486.tif 000002
【実用新案登録請求の範囲】
【請求項１】
複数の指先部を有する手袋本体と、
前記指先部のうち少なくとも１つに貫通して設けられた少なくとも１つの導電部とを備えることを特徴とするタッチ手袋。
【請求項２】
前記少なくとも１つの導電部は、複数の導電部を備え、前記指先部に前記導電部がそれぞれ貫通して設けられたことを特徴とする請求項１に記載のタッチ手袋。
【請求項３】
各前記導電部が各前記指先部にそれぞれ導電性の糸で貫通状に縫い付けられたことを特徴とする請求項２に記載のタッチ手袋。
【請求項４】
各前記導電部は模様に縫い付けられたことを特徴とする請求項３に記載のタッチ手袋。
【請求項５】
前記模様は、ねじ形状、幾何形状、花びら形状及び矢印形状を含むことを特徴とする請求項４に記載のタッチ手袋。
【請求項６】
前記模様は凸起を有することを特徴とする請求項５に記載のタッチ手袋。
【請求項７】
前記手袋本体は防水材料であることを特徴とする請求項３に記載のタッチ手袋。
【請求項８】
前記導電性の糸の材料は、ステンレス鋼繊維、カーボン繊維、スパッタ繊維（ｓｐｕｔｔｅｒｅｄ  ｆｉｂｅｒ）及びその組合のうち１つを含むことを特徴とする請求項３に記載のタッチ手袋。
【請求項９】
前記導電性の糸の材料は、ポリエチレンテレフタレート（Ｐｏｌｙｅｔｈｙｌｅｎｅｔｅｒｅｐｈｔｈａｌａｔｅ；ＰＥＴ）をさらに含むことを特徴とする請求項８に記載タッチ手袋。
【請求項１０】
前記ポリエチレンテレフタレートは、前記導電性の糸の７０％〜９０％を占めることを特徴とする請求項９に記載タッチ手袋。
【考案の詳細な説明】
【技術分野】
【０００１】
本考案は、タッチ手袋に係り、特に、静電容量式タッチ装置を操作するための手袋に関する。
【背景技術】
【０００２】
タッチパネルは、ディスプレイに隣接して設けられた装置であって、指又は「スタイラス」と呼ばれるペンなどで、ディスプレイのパネル画面を軽く押すだけで、データ伝送及び情報の読み取りを行うように制御することができる。タッチパネルは、便利に使用できるため、様々な領域、例えば、携帯式電子機器、ＡＴＭ、工業制御システム及び情報検索機器などに幅広く利用されてきた。タッチパネルは、誘導原理に従って静電容量式、抵抗膜式、電磁誘導式及び赤外線式などに分けられ、そのうち、静電容量式タッチパネルについて、軽く触れるだけで感知可能となり、しかも、指で触ってもパネル表面に摩損を殆ど与えることはなく、近年では、特にタッチ装置として著しく普及されつつある。
【０００３】
静電容量式タッチパネルは、人体とタッチパネルの電界との静電結合を利用して、生じられた誘導電流によって座標の位置決めを行うものであって、ユーザが寒い日或いは他の原因で手袋をはめると、静電容量式タッチパネルを操作することができなくなる。そのため、ユーザが着けた手袋として、導電性を持たないと、はめたままのときに静電容量式タッチ装置を操作できなくなる。
【０００４】
図１を参照して説明すると、従来の静電容量式タッチパネル１は、内層１１と、外層１３と、複数の穴１５とを含み、内層１１は導電層であり、外層１３は、弾性のある材質で且つ内層１１を適度に覆うようになっている。外層１３の指先部に穴１５が設けられ、ユーザは穴１５から弾性のある外層１３を剥離して、内層１１を外層１３の外部に露出させることができる。使用する前に外層１３を剥離しなければならないため、使用上にとても不便になり、且つ、導電する内層１１の外部に絶縁層がさらに設けられているため、タッチ装置を指で押すと、接触不良又は位置決めが正確でないことになり易い問題がある。
【０００５】
もう１種の従来の静電容量式タッチ装置を操作するための手袋では、手のひらと指の付け根は、普通の手袋の材料を用いるが、指先端部のみを導電性の糸で編組されるため、タッチパネルを操作する指先端部が導電性を備えるので、静電容量式タッチ装置を操作することができるようになった。しかし、導電性の糸の価格が普通の織り糸より高価であるので、このような手袋にとって、その製造コストが高くなる。
【０００６】
本考案は、これに鑑みてなされたもので、静電容量式タッチ装置を容易に操作することが可能で、一定の操作正確さを有し且つ製造コストが低くなる手袋をどうすれば研究開発できるかが、業界にとって解決しようとする大きな課題である。
【考案の概要】
【考案が解決しようとする課題】
【０００７】
本考案は、静電容量式タッチ装置を操作し易く、さらに操作の精確さ及びコストダウンの効果を兼備するタッチ手袋を提供することにより、ユーザが手袋を着けたままの場合でも、静電容量式タッチ装置のタッチパネルを精確に操作できることを目的とする。
【課題を解決するための手段】
【０００８】
前記目的を達成するため、本考案に係るタッチ手袋は、手袋本体と、複数の導電部とを備え、手袋本体は、複数の指先部を有し、これらの指先部にこれらの導電部がそれぞれ貫通して設けられることで、ユーザの１本指の指先がこれらの導電部のうち何れか一方により静電容量式タッチ装置と結合してタッチすることができる。
【０００９】
本考案の特徴、特点及び技術内容をさらに深く了解を得るため、以下の本考案に係る詳細説明及び添付図面を参照するが、前記添付図面は参考や説明のみ提供され、本考案を局限するものではない。
【図面の簡単な説明】
【００１０】
【図１】従来の静電容量式タッチ手袋を示す図である。
【図２】本考案に係る一実施例の手袋を示す図である。
【考案を実施するための形態】
【００１１】
以下に、実施例によって本考案の一態様のタッチ手袋を説明する。本考案の実施例は、本考案を限定するものではなく、以下のように記載したあらゆる特定の環境、応用又は特別な方式の下でしか実施できないことは言うまでもないことである。そのため、実施例についての説明は、本考案の目的を解釈するもののみであり、本考案を限定するものではない。
【００１２】
図２は、本考案の実施例の手袋２を示す図であり、まず、図２を参照して説明すると、該手袋２は、静電容量式タッチ装置を操作するためのものであり、静電容量式タッチ装置は、タッチパネルとタッチパネルに電気的に接続されたマイクロコントローラとを含む。
【００１３】
本考案の手袋２は、手袋本体２１と、複数の導電部２５とを備え、手袋本体２１は、複数の指先部２３を有し、且つ、少なくとも１本指の指先部２３は、導電性の糸で導電部２５が貫通状に縫い付けられている。本実施例では、手袋２の５本指の指先部２３に何れも導電部２５が貫通状に縫い付けられている。
【００１４】
本実施例の手袋アセンブリ２をはめるときに、導電部２５の導電性により、ユーザの指先の静電気が静電容量式タッチ装置のタッチパネル上の電界と結合され、さらに、静電容量式タッチパネルに電気的に接続されたマイクロコントローラにより対応する位置を算出すれば、静電容量式タッチ装置をタッチ操作することができるようになる。ここで、本考案の手袋は、あらゆる前作業を行う必要なく、直接にはめて使用することができる。
【００１５】
また、本考案の手袋の導電部は、模様、例えば、ねじ形状、幾何形状、花びら形状及び矢印形状であっても良く、本実施例では、図２に示すように、導電部２５は、花びら形状であり、且つ、導電部２５は凸状となるように縫い付けられている。ユーザが本考案の手袋を着けたとき、導電部２５の突起によって静電容量式タッチ装置のパネルとの接触面積を縮めることができるので、ユーザが静電容量式タッチ装置を操作するときに、所要の位置をより簡単に精確的に選択することができる。
【００１６】
本考案の手袋２の手袋本体２１は、特別な処理を必要とせず一般に使用されている手袋であれば良いので、造形、外見上において、様々なユーザの異なる好みに応じて、ユーズが好む何れか１つのデザインを選ぶことができるが、本考案の手袋の手袋本体２１は、ユーザの要求に応じて、防水材料、例えばシリコンを使用して、防水の目的を達成することもできる。
【００１７】
本考案の手袋２の導電部２５が使用する導電性の糸は、ステンレス鋼繊維、カーボン繊維、スパッタ繊維（ｓｐｕｔｔｅｒｅｄ  ｆｉｂｅｒ）及びその組合のうち１つである。導電性の糸は、７０％〜９０％のポリエチレンテレフタレート（Ｐｏｌｙｅｔｈｙｌｅｎｅｔｅｒｅｐｈｔｈａｌａｔｅ；ＰＥＴ）を含み、８０％のポリエチレンテレフタレート（Ｐｏｌｙｅｔｈｙｌｅｎｅｔｅｒｅｐｈｔｈａｌａｔｅ；ＰＥＴ）を含むのがより好ましく、該導電性の糸は、従来技術の導電性の糸より、コストが低く且つ縫製技術も容易であり、素材及び製造コストを大幅に低下させることができる。
本考案の手袋２の導電部２５は、上記ステンレス鋼繊維で作製された導電性の糸を使用し、摩擦試験（ＡＳＴＭ  Ｄ１００３−０７）を経ってから、アッシング効果を有するとともにタッチパネルを破壊しないと分かった。
【００１８】
本考案の導電部２５は、ステンレス鋼繊維の導電性の糸で作製され、実際に摩擦試験を経った実験データ報告及び実験設定パラメータが、以下に示される。
【００１９】
0003179486.tif 000003
【００２０】
0003179486.tif 000004
【００２１】
以上のように、本考案は、従来の静電容量式タッチ装置を操作するための手袋よりも、コストが低く、使用便利且つ正確に操作可能な手袋を提供し、且つ、必要なときにユーザの要求に応じて防水性を提供することもでき、背景技術の問題を有効に解決するだけでなく、さらに、静電容量式タッチパネル製品の競争力を向上させることもできた。
【００２２】
以上は、単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２３】
１    静電容量式タッチ手袋
２    手袋
１１  内層
１３  外層
１５  穴
２１  手袋本体
２３  指先部
２５  導電部
【図１】
0003179486.tif 000005
【図２】
0003179486.tif 000006